(57)【特許請求の範囲】
【請求項１】
上端にポンプが取り付けられている枠体に、下端側が解放されたハウジング（但し、下記中子を嵌挿した際に該中子の上端が当接する段部が形成されているものは除く。）を形成すると共に、このハウジングに対して下方側から着脱自在である中子が用意されており、前記ハウジングと前記中子とは断面形状が相似であり、前記ハウジングから取り外した中子内に詰め替え用包装体を収納してハウジングの下端側から嵌挿させる際に、該詰め替え用包装体の上方からポンプの吸液管が刺し通される構成であることを特徴とする詰め替え用包装体のポンプ付きホルダー。
【請求項２】
詰め替え用包装体の容積が、中子の内側内の容積に対応する構成であることを特徴とする請求項１に記載の詰め替え用包装体のポンプ付きホルダー。
【請求項３】
枠体と中子の少なくとも一部を透明材で形成するか、或いは開口部を形成することにより詰め替え用包装体内の溶液の残量及び／又はポンプの吸液管の先端部が確認できるように構成されていることを特徴とする請求項１に記載の詰め替え用包装体のポンプ付きホルダー。
【請求項４】
詰め替え用包装体が予め中子に収納されている構成であることを特徴とする請求項１に記載の詰め替え用包装体のポンプ付きホルダー。
【請求項５】
詰め替え用包装体が中子に収納されていない構成であることを特徴とする請求項１に記載の詰め替え用包装体のポンプ付きホルダー。
【発明の詳細な説明】
【０００１】
【発明の属する技術分野】
本発明は、使い切ると容器ごと捨ててしまうポンプ付き液体容器でなく、補充用の新液を詰め替え用包装体に収容して提供する態様に利用される詰め替え用包装体のポンプ付きホルダーに関する。
【０００２】
【従来の技術】
詰め替え用包装体を収納するポンプ付きホルダーに関しては、特開平４−３２１０７１号、同４−３２１０７２号、同５−３７６６０号、同６−１７１６９８号、同９−９５３７６号公報などに記載がある。
【０００３】
また、詰め替え用包装体に関しては、特開平７−２２８４号、同７−１７２４６６号、同７−２２３６５１号公報などに記載がある。
【０００４】
【発明が解決しようとする課題】
詰め替え用包装体を収納するポンプ付きホルダーでは、液を使い切ると、古い包装体を取り出して、新液が収納されている詰め替え用包装体を装填するが、その際に、ポンプの吸液管の先端を包装体の上端部に突き刺して、ポンプが作動できるように正確にセットすることが要求される。この作業は煩雑なだけでなく、しばしばセットが不正確で、ポンプがうまく作動しない事態が生じている。
【０００５】
詰め替えに際して、ポンプのセットをやり直すために安易に容器の蓋を開けてしまうと、ポンプの吸液管も外してしまうことがある。例えば、特開平６−２５５６８４号、同７−２２３６５１号公報などに記載されている如く、詰め替え用包装体の端部封止材を、突き通されたポンプの吸液管の周囲に密着する積層構造とすることで液漏れを防止する構成の詰め替え用包装体を利用する場合、ポンプのセットをやり直すと、包装体の端部封止材に古い穴が残ってしまうことになり、このため容器を逆さまにすると液が漏れ出してしまう事態が発生する。
【０００６】
更に、従来のポンプ付きホルダーは不透明な合成樹脂製であるために、蓋を外さないと内部を見ることができない。このため、ポンプを作動させても液が出てこない原因が、液を使い切ったためなのか、ポンプの作動不良のためなのか判断することができない。そこで蓋を不用意に開けたりしてしまうと、ポンプの吸液管が外れ、前記した事態の発生となる。
【０００７】
本発明は、上記に鑑み、詰め替え用包装体の装填が容易であり、液の残量の確認を容易に行なうことができる、改良されたポンプ付きホルダーを明らかにすることを目的とする。
【０００８】
【課題を解決するための手段】
本発明に係る詰め替え用包装体のポンプ付きホルダーは、（１）上端にポンプが取り付けられている枠体に、下端側が解放されたハウジング（但し、下記中子を嵌挿した際に該中子の上端が当接する段部が形成されているものは除く。）を形成すると共に、このハウジングに対して下方側から着脱自在である中子が用意されており、前記ハウジングと前記中子とは断面形状が相似であり、前記ハウジングから取り外した中子内に詰め替え用包装体を収納してハウジングの下端側から嵌挿させる際に、該詰め替え用包装体の上方からポンプの吸液管が刺し通される構成であること、（２）詰め替え用包装体の容積が、中子の内側内の容積に対応する構成であること、（３）枠体と中子の少なくとも一部を透明材で形成するか、或いは開口部を形成することにより詰め替え用包装体内の溶液の残量及び／又はポンプの吸液管の先端部が確認できるように構成されていること、（４）詰め替え用包装体が予め中子に収納されている構成であること、（５）詰め替え用包装体が中子に収納されていない構成であること、をそれぞれ特徴とする。
【０００９】
【発明の実施の形態】
図１に従って説明する。上端側にポンプ２０が配置される枠体１０の下方には下端側が解放されているハウジング１１が設けられ。ハウジング１１の解放端からは上端が解放状態である中子１２が嵌挿される。ハウジング１１と中子１２は断面形状が相似で、図示の如くきっちりと嵌まり合う形とするのが好ましい。両者の結合状態を維持させるために、ストッパ機構１３を配置するようにしてもよい。ストッパ機構１３は、中子１２の側面に形成した凹部にハウジング１１に形成した舌片を係合させる構成とするが、他の構成とすることも可能である。
【００１０】
ハウジング１１と中子１２の少なくとも一部を透明材で形成するか、或いは、開口部を形成することにより詰め替え用包装体３０内の溶液の残量及び／又はポンプ２０の吸液管の先端が確認できるように構成することが好ましい。
【００１１】
詰め替え用包装体３０は、市販のものと基本的構造は同じであるが、その容積は、中子１２の容積に対応させる。詰め替え用包装体３０の容積が中子１２の容積より著しく小さいと、ポンプ２０の吸液管２１を刺し通す際に変形してしまう事態が生じる。本発明のように、両者の容積を対応させておけば、詰め替え用包装体３０の変形は中子１２の内側壁で規制を受けるので、このような事態の発生を防ぐことができる。
【００１２】
尚、好ましい態様として、詰め替え用包装体３０の容積を中子１２の容積に対応させるだけでなく、両者の形状を対応させる構成が挙げられる。例えば、中子１２の横断面形状が楕円形であれば詰め替え用包装体３０の横断面形状は楕円形とし、同様に、真円形は真円形に、四角形は四角形に対応させる構成である。
【００１３】
本発明者が先に提案した特願平１０−２８０５２３号では、詰め替え用包装体３０は、容積についての対応もなかったばかりか、ハウジング１１ないし中子１２の断面形状にも対応していなかったので、ポンプ２０の吸液管２１を上端側から刺し通す際に力が加わると変形してしまうので、詰め替え用包装体３０の上端側を、ハウジング１１ないし中子１２に固定するためのピン孔が必要であったが、本発明で用いる詰め替え用包装体３０では、このようなピン孔は不必要である。
【００１４】
ポンプ２０は、ねじ方式或いは嵌入方式等により枠体１０の上端に取り付けられら、回転操作或いは押し込み操作などにより、吸液管２１を下方に移動させることができる構造となっている。尚、吸液管２１の先端は、例えば斜め方向に断裁するなどして、鋭利な形状とするか、或いは、鋭利な先端部を持つアダプターを取り付ける。トリガー２２を往復動させることにより吐出口２２から詰め替え用包装体３０内の溶液を吸い上げ吐出させることができる。
【００１５】
本発明においては、ポンプ２０の構造は、図１に示すようなトリガータイプに限定されるものではない。
【００１６】
詰め替え用包装体３０に収納する内容物は、必ずしも液体に限られることはなく、ゲル状或いはゼリー状等の流動体であればよい。
【００１７】
尚、本発明者は、本発明と同様の課題を解決すべく、上記特願平１０−２８０５２３号を、先に提案済みであり、かかる先提案明細書の段落番号００１０〜００４４の記載、特に図３及び図４の実施例の記載を、本発明においても参酌できる。
【００１８】
【発明の効果】
本発明によれば、詰め替え作業を簡単に行なうことができ、詰め替えに際して詰め替え用包装体に対してポンプの吸液管を誤って突き刺すなどの誤操作を起こすことがなく、また、収納されている液の残量を容易に確認することができるので頭記した課題が解決される。
【図面の簡単な説明】
【図１】本発明の実施例を示す一部断面図
【符号の説明】
１０−枠体
１１−ハウジング
１２−中子
１３−ストッパ機構
２０−ポンプ
２１−吸液管
２２−トリガー
２３−吐出口
３０−詰め替え用包装体
【図１】
0004583522.tif 000002